(57)【特許請求の範囲】
【請求項１】
記録すべきオーディオ情報に対してフェードイン処理又はフェードアウト処理によって加工を施して加工情報を生成する加工手段と、当該生成された加工情報を一時的に記憶する記憶手段と、を備え、前記記憶されている加工情報を読み出して情報記録媒体に記録する情報記録装置において、
前記加工情報の記録を中断するとき、当該中断が指示されたタイミングに対応する前記加工情報の前記記憶手段における記憶位置である中断記憶位置を記憶する位置記憶手段と、
前記中断が指示されたタイミングにおいて前記加工情報の記録を中断する中断手段と、
前記加工情報の記録を再開するとき、前記記憶されている中断記憶位置に基づいて当該加工情報の記録を再開する再開手段と、を備え、
前記加工手段は、前記中断が指示されたタイミング以降の前記オーディオ情報をフェードアウトさせて前記加工情報を生成し、
前記記憶手段は、当該生成された加工情報を前記中断が指示されたタイミング以降に前記加工情報が記憶されるべき当該記憶手段内の領域に記憶することを特徴とする情報記録装置。
【請求項２】
請求項１に記載の情報記録装置において、
前記位置記憶手段は、前記中断が指示されたタイミングにおいて前記記憶手段に入力された前記加工情報の当該記憶手段における記憶位置を前記中断記憶位置として記憶することを特徴とする情報記録装置。
【請求項３】
請求項１又は２に記載の情報記録装置において、
前記再開手段は、前記中断が指示されたタイミングの後、実際に前記加工情報の記録が中断した以降に記録されるべき前記加工情報である再開加工情報から当該加工情報の記録を再開することを特徴とする情報記録装置。
【請求項４】
請求項３に記載の情報記録装置において、
前記再開手段は、前記再開加工情報をフェードインさせて前記情報記録媒体に記録させることにより前記加工情報の記録を再開することを特徴とする情報記録装置。
【請求項５】
請求項１に記載の情報記録装置において、
前記再開手段は、前記中断が指示されたタイミング以降に記録されるべき前記加工情報である中断加工情報から当該加工情報の記録を再開することを特徴とする情報記録装置。
【請求項６】
請求項５に記載の情報記録装置において、
前記再開手段は、前記中断加工情報をフェードインさせて前記情報記録媒体に記録させることにより前記加工情報の記録を再開することを特徴とする情報記録装置。
【請求項７】
請求項６に記載の情報記録装置において、
前記再開手段は、前記記憶手段内の前記フェードアウトされた前記加工情報に前記中断加工情報が加算されて記録することを特徴とする情報記録装置。
【請求項８】
請求項４に記載の情報記録装置において、
前記再開手段は、前記再開加工情報をフェードインさせた情報を、前記フェードアウトさせた加工情報に加算させた情報を記録することを特徴とする情報記録装置。
【請求項９】
請求項１から８のいずれか一項に記載の情報記録装置において、
前記オーディオ情報は、対応する画像情報と共に前記情報記録媒体に記録されるべきオーディオ情報であることを特徴とする情報記録装置。
【発明の詳細な説明】
【０００１】
【発明の属する技術分野】
本発明は、情報記録装置の技術分野に属し、より詳細には、情報記録媒体への情報記録中断時及び情報記録再開時における当該記録中断制御及び当該記録再開制御を行う情報記録装置の技術分野に属する。
【０００２】
【従来の技術】
従来、例えば音声又は音楽等のオーディオ情報等を圧縮した後に対応する画像情報と共に光ディスク等の情報記録媒体に記録することが一般に行われている。
【０００３】
そして、この情報記録時において、当該オーディオ情報の記録を一時的に中断する際に行われる処理について考えると、当該一時中断が指示された場合には、当該指示されたタイミング以降の記録すべきオーディオ情報の取り込みを停止し、次に記録再開が指示されたタイミングから再度記録すべきオーディオ情報の取り込みを開始して情報記録を再開する処理が実行されることとなる。
【０００４】
ここで、従来実行されていた、記録すべきオーディオ情報の取り込み状態を制御することにより記録中断及び再開を制御する方法によると、当該中断時と再開時で記録すべきデータに大きなレベル差があった場合等においては、その中断時を含んでその前後で連続的に記録されているオーディオ情報を再生した場合に、当該中断タイミングにおいて突発的な雑音が発生する場合があるという問題点があった。
【０００５】
そこで、この問題点を解決すべく、従来、記録中断時においては当該中断指示タイミング以降に記録すべきオーディオ情報をフェードアウトさせ、一方記録再開時においては当該再開指示タイミング以降に記録すべきオーディオ情報をフェードインさせることで、当該中断又は再開タイミングにおけるオーディオ情報のレベルを実質的にゼロレベルとする処理が行われていた。
【０００６】
ここで、当該フェードアウトとは、記録すべきオーディオ情報の記録レベルを漸次低減して最終的にゼロレベルとする処理を言い、一方フェードインとは、当該オーディオ情報の記録レベルを当初ゼロレベルとしておき、その後、漸次増大させて本来の記録レベルに復帰させることを言う。
【０００７】
【発明が解決しようとする課題】
しかしながら、このようなオーディオ情報を、それと時間軸上で対応関係にある画像情報と共に情報記録媒体に記録させるとき、その記録を一時的に中断した後再開する場合を考えると、当該画像情報については記録中断が指示されたタイミングにおいて即刻記録を中断し、更に記録再開が指示されたタイミングにおいて即刻記録を再開することが一般に可能である。そして、この場合にその中断／再開タイミングの前後に渡って当該記録されている画像情報を再生しても、上記オーディオ情報の如く画像中に雑音が混入することはない。
【０００８】
このとき、当該画像情報と対応すべきオーディオ情報のみを、上述した雑音発生の抑制のためにフェードアウトさせて記録を中断したとすると、当該オーディオ情報がフェードアウトしている期間については、対応する画像情報は記録されないこととなる。
【０００９】
そして、このような状態で記録が中断した後に画像情報及びオーディオ情報の記録を再開させたとすると、画像情報については、フェードアウトする直前のオーディオ情報に対応する画像情報が記録されるべき情報記録媒体上の記録位置からその記録再開されるべき画像情報が記録され、一方、オーディオ情報については、中断時にフェードアウトしたオーディオ情報の直後の記録位置から記録再開されるべきオーディオ情報が記録されることとなり、結果として、記録再開時の最初のオーディオ情報と画像情報とを比較すると、対応した記録位置に記録されるべきオーディオ情報と画像情報とが当該対応した記録位置に記録されないこととなる。このことは、その記録中断／再開前後に渡ってオーディオ情報と画像情報の再生を行った場合には、当該記録再開後の各情報について、対応すべきオーディオ情報と画像情報とが時間的にずれた状態で再生される（より具体的には、同時に再生されるべき画像情報とオーディオ情報について、後者の方が遅れて再生される）こととなるという問題点があった。
【００１０】
更に、この問題点は、オーディオ情報と画像情報とで共通的な時間情報を設けて夫々の情報を記録再生する場合には、当該時間情報を統一的に設けることができなくなるという問題点に繋がるものである。
【００１１】
そこで、本発明は、上記各問題点に鑑みて為されたもので、その課題は、画像情報及びオーディオ情報の記録を一時的に中断させた後に再開し、その中断／再開の前後に渡って記録されている各情報を再生するとき、その連続性を保ちつつ再生することができると共に、オーディオ情報再生時のノイズの発生をも抑制することが可能なように当該オーディオ情報を記録することが可能な情報記録装置を提供することにある。
【００１２】
【課題を解決するための手段】
上記の課題を解決するために、請求項１に記載の発明は、記録すべきオーディオ情報に対してフェードイン処理又はフェードアウト処理によって加工を施して加工情報を生成する加工手段と、当該生成された加工情報を一時的に記憶する記憶手段と、を備え、前記記憶されている加工情報を読み出して情報記録媒体に記録する情報記録装置において、前記加工情報の記録を中断するとき、当該中断が指示されたタイミングに対応する前記加工情報の前記記憶手段における記憶位置である中断記憶位置を記憶する位置記憶手段と、前記中断が指示されたタイミングにおいて前記加工情報の記録を中断する中断手段と、前記加工情報の記録を再開するとき、前記記憶されている中断記憶位置に基づいて当該加工情報の記録を再開する再開手段と、を備え、前記加工手段は、前記中断が指示されたタイミング以降の前記記録情報をフェードアウトさせて前記加工情報を生成し、前記記憶手段は、当該生成された加工情報を前記中断が指示されたタイミング以降に前記加工情報が記憶されるべき当該記憶手段内の領域に記憶する。
【００１３】
よって、中断記憶位置を記憶し、当該中断記憶位置に基づいて加工情報の記録を再開するので、中断／再開前後に渡って記録されている加工情報を再生するとき、その連続性を保ちつつ当該加工情報を再生することができる。また、当該中断タイミングの前後に渡って記録されている加工情報を再生する場合に、ノイズの発生を抑制して当該加工情報を再生することができる。
【００１４】
上記の課題を解決するために、請求項２に記載の発明は、請求項１に記載の情報記録装置において、前記位置記憶手段は、前記中断が指示されたタイミングにおいて前記記憶手段に入力された前記加工情報の当該記憶手段における記憶位置を前記中断記憶位置として記憶するように構成される。
【００１５】
よって、中断が指示されたタイミングにおいて入力された加工情報の記憶位置に基づいて加工情報の記録が再開されるので、より正確に再生時における加工情報の連続性を保持しつつ当該加工情報を記録することができる。
【００１８】
上記の課題を解決するために、請求項３に記載の発明は、請求項１又は２に記載の情報記録装置において、前記再開手段は、前記中断が指示されたタイミングの後、実際に前記加工情報の記録が中断した以降に記録されるべき前記加工情報である再開加工情報から当該加工情報の記録を再開するように構成される。
【００１９】
よって、中断が指示されたタイミングの後、実際に加工情報の記録が中断するまでに記録されるべき加工情報に重複して他の加工情報が記録されることがないので、中断／再開前後に渡って記録されている加工情報を再生する場合に、よりノイズを抑制して当該加工情報を再生することができる。
【００２０】
上記の課題を解決するために、請求項４に記載の発明は、請求項３に記載の情報記録装置において、前記再開手段は、前記再開加工情報をフェードインさせて前記情報記録媒体に記録させることにより前記加工情報の記録を再開するように構成される。
【００２１】
よって、再開加工情報がフェードインした後に記録が再開されるので、当該中断／再開タイミングの前後に渡って記録されている加工情報を再生する場合に、更にノイズの発生を抑制して再生することができる。
【００２２】
上記の課題を解決するために、請求項５に記載の発明は、請求項１に記載の情報記録装置において、前記再開手段は、前記中断が指示されたタイミング以降に記録されるべき前記加工情報である中断加工情報から当該加工情報の記録を再開するように構成される。
【００２３】
よって、中断加工情報から加工情報の記録を再開するので、中断が指示されたタイミングの後、実際に加工情報の記録が中断するまでの期間に対応する加工情報に対して中断加工情報が重複して記録されることとなり、当該中断／再開タイミングの前後に渡って記録されている加工情報を再生する場合に、加工情報の再生強度がゼロレベルとなって再生が途切れることを防止できる。
【００２４】
上記の課題を解決するために、請求項６に記載の発明は、請求項５に記載の情報記録装置において、前記再開手段は、前記中断加工情報をフェードインさせて前記情報記録媒体に記録させることにより前記加工情報の記録を再開するように構成される。
【００２５】
よって、いわゆるクロスフェードにより加工情報の記録中断及び記録再開が実行されることとなるので、当該中断／再開タイミングの前後に渡って記録されている加工情報を再生する場合に、加工情報の再生強度がゼロレベルとなって再生が途切れることを防止できると共に、ノイズを抑制して再生することができる。
【００２６】
上記の課題を解決するために、請求項７に記載の発明は、請求項６に記載の情報記録装置において、前記再開手段は、前記記憶手段内の前記フェードアウトされた前記加工情報に前記中断加工情報が加算されて記録するように構成する。
上記の課題を解決するために、請求項８に記載の発明は、請求項４に記載の情報記録装置において、前記再開手段は、前記再開加工情報をフェードインさせた情報を、前記フェードアウトさせた加工情報に加算させた情報を記録するように構成する。
上記の課題を解決するために、請求項９に記載の発明は、請求項１から８のいずれか一項に記載の情報記録装置において、前記記録情報は、対応する画像情報と共に前記情報記録媒体に記録されるべきオーディオ情報であるように構成される。
【００２７】
よって、オーディオ情報の記録中断及び記録再開に伴って、再生時において対応すべき画像情報とオーディオ情報との間に時間的なずれが生じることを防止し、それらの連続性を維持しつつ当該オーディオ情報及び画像情報の記録中断及び記録再開を行うことができる。
【００２８】
【発明の実施の形態】
次に、本発明に好適な実施の形態について、図面に基づいて説明する。なお、以下に説明する実施の形態は、記録情報としてのオーディオ情報及びビデオ（画像）情報を光ディスクに記録する情報記録装置における当該オーディオ情報の記録に対して本発明を適用した場合の実施の形態である。
【００２９】
（Ｉ）第１実施形態
始めに、本発明に係る第１実施形態について、図１乃至図６を用いて説明する。
【００３０】
先ず、第１実施形態に係る情報記録装置の構成及び概要動作について、図１乃至図３を用いて説明する。なお、図１は第１実施形態に係る情報記録装置の概要構成を示すブロック図である。
【００３１】
図１に示すように、第１実施形態に係る情報記録装置１は、情報記録媒体としての光ディスク２を回転駆動するスビンドルモータ３と、光ディスク２に対して後述する記録用データＤWTを光学的に記録するピックアップ４と、スピンドルモータ３とピックアップ４をサーボ制御するためのサーボ回路５と、光ディスク２に記録すべき上記記録用データＤWTを生成するための記録系６と、情報記録装置１全体を制御する中央制御回路８と、使用者が中央制御回路８に対して後述する記録中断／再開等を含む所望の指示をするための操作部９と、表示部１０と、により構成されている。
【００３２】
また、記録系６は、Ａ／Ｄコンバータ１１及び１２と、本発明に係るオーディオ圧縮回路１３と、ビデオ圧縮回路１４と、マルチプレックス回路１５と、記録バッファメモリ１６と、エンコーダ１７と、記録回路１８と、により構成されている。
【００３３】
更に、中央制御回路８は、予め設定されているシステムプログラム等を記録するメモリ８ａを有し、上記システムプログラムを実行することにより情報記録装置１全体の動作を制御するマイクロプロセッサ（ＣＰＵ）により構成されている。
【００３４】
次に、記録系６の概要動作を説明する。
【００３５】
先ず、Ａ／Ｄコンバータ１１は、外部から供給されるアナログ信号であるオーディオ信号ＳAIをディジタル信号であるオーディオデータＤAIに変換し、オーディオ圧縮回路１３へ出力する。
【００３６】
そして、オーディオ圧縮回路１３は、中央制御回路８からの制御信号Ｃ1により指定されるデータ圧縮方式に基づいてオーディオデータＤAIを圧縮し、圧縮オーディオデータＤＰAIを生成してマルチプレックス回路１５に出力する。なお、当該オーディオ圧縮回路１３の細部構成及び動作については、後程詳述する。
【００３７】
これらと並行して、Ａ／Ｄコンバータ１２は、外部から供給されるアナログ信号であるビデオ信号ＳVIをディジタル信号であるビデオデータＤVIに変換し、ビデオ圧縮回路１４へ出力する。
【００３８】
そして、ビデオ圧縮回路１４は、中央制御回路８からの制御信号Ｃ1により指定されるテータ圧縮方式（例えば、ＭＰＥＧ（Moving  Picture  Experts  Group）方式）に基づいてビデオデータＤVIを圧縮し、圧縮ビデオデータＤＰVIを生成してマルチプレックス回路１５に出力する。
【００３９】
これらにより、マルチプレックス回路１５は、操作部９において使用者等により記録開始の指示が為されると、中央制御回路８からの制御信号Ｃ2により指定されるタイミングに従って、記録バッファメモリ１６と協動しつつ圧縮オーディオデータＤＰAIと圧縮ビデオデータＤＰVIを時分割多重し、時分割多重の施された圧縮データＤＰWを生成してエンコーダ１７へ出力する。
【００４０】
このとき、記録バッファメモリ１６は、圧縮オーディオデータＤＰAIと圧縮ビデオデータＤＰVIを一時的に格納しつつマルチプレックス回路１５と協動して圧縮データＤＰWを生成する。
【００４１】
これと並行して記録バッファメモリ１６は、マルチプレックス回路１５において生成される圧縮データＤＰWのデータ量（又はデータ長）を示すデータ量信号Ｃmwを中央制御回路８に対して逐一転送し、これにより、中央制御回路８は、データ量信号Ｃmwに基づいて圧縮データＤＰWのデータ量を文字等により表示部１０に表示する。
【００４２】
次に、エンコーダ１７は、中央制御回路８から供給される制御信号Ｃ3に基づいて圧縮データＤＰWを符号化し、エンコードデータＤWEを生成して記録回路１８へ出力する。
【００４３】
そして、記録回路１８は、中央制御回路８から供給される制御信号Ｃ4に基づいて、エンコードデータＤWEに対して予め設定された増幅等の処理を施し、上記記録用データＤWTを生成してピックアップ４へ出力する。
【００４４】
これにより、ピックアップ４に内蔵されている半導体レーザ等の光源が記録用データＤWTに対応して駆動される。そして、記録用データＤWTに対応する強度を有する記録用の光ビームが射出され、これにより、記録用データＤWTが光学的に光ディスク２に記録される。
【００４５】
次に、オーディオ圧縮回路１３の細部構成及び一般的な動作について、図２及び図３を用いて説明する。なお、図２はオーディオ圧縮回路１３の細部構成を示すブロック図であり、図３はオーディオ圧縮回路１３の一般動作を説明する模式図である。
【００４６】
図２に示すように、オーディオ圧縮回路１３は、加工手段としての加工部２０と、記憶手段としての入力バッファメモリ２１と、圧縮部２２と、出力バッファメモリ２３と、位置記憶手段、中断手段及び再開手段としてのサブＣＰＵ２４と、により構成されている。
【００４７】
次に、通常の記録動作実行時におけるオーディオ圧縮回路１３の動作を説明する。
【００４８】
先ず、加工部２０は、サブＣＰＵ２４からの制御信号ＣMDに基づいて、入力されてくるオーディオデータＤAIに対してフェードアウト処理（すなわち、オーディオデータＤAIのレベルを漸次低減させて最終的にゼロレベルとするフェードアウト処理）及びフェードイン処理（すなわち、オーディオデータＤAIのレベルをゼロレベルから漸次増大させて最終的に本来のオーディオデータＤAIとしてのレベルとするフェードイン処理）を施し、加工データＤMDを生成して入力バッファメモリ２１へ出力する。
【００４９】
なお、オーディオデータＤAIに対して上記フェードイン処理又はフェードアウト処理のいずれも施さない場合は、当該オーディオデータＤAIがそのまま加工データＤMDとして入力バッファメモリ２１へ出力される。
【００５０】
そして、入力バッファメモリ２１は、サブＣＰＵ２４からの制御信号ＣBM1に基づき、当該加工データＤMDを一時的に記憶した後当該制御信号ＣBM1により示されるタイミングでバッファデータＤBM1として圧縮部２２へ出力する。
【００５１】
このとき、当該入力バッファメモリ２１は、当該入力バッファメモリ２１内における加工データＤMDの蓄積量（換言すれば、最新の加工データＤMDの蓄積位置）を示す後述する入力ポインタＰの当該入力バッファメモリ２１内の位置をポインタ信号ＣPTとしてサブＣＰＵ２４へ出力する。
【００５２】
次に、圧縮部２２は、サブＣＰＵ２４からの制御信号ＣCMPに基づき、入力されてくるバッファデータＤBM1に対して中央制御回路８からの制御信号Ｃ1により示されるデータ圧縮方式に基づいた圧縮処理を施し、圧縮データＤCMPを生成して出力バッファメモリ２３へ出力する。
【００５３】
これにより、出力バッファメモリ２３は、サブＣＰＵ２４からの制御信号ＣBM2に基づき、当該圧縮データＤCMPを一時的に記憶した後当該制御信号ＣBM2により示されるタイミングで上記圧縮オーディオデータＤＰAIを生成してマルチプレックス回路１５に出力する。
【００５４】
次に、オーディオ圧縮回路１３のおける圧縮処理の際の各バッファメモリの一般的な動作について図３を用いて説明する。
【００５５】
図３に示すように、入力バッファメモリ２１は、夫々同量の記憶容量を有する二つのバッファブロック２１ａ及び２１ｂにより構成されており、一方、出力バッファメモリ２３も、夫々同量の記憶容量を有する二つのバッファブロック２３ａ及び２３ｂにより構成されている。
【００５６】
そして、通常の記録動作時においては、先ず、バッファブロック２１ａ内に上記加工データＤMDが蓄積されていき、当該バッファブロック２１ａが満杯になったときに当該バッファブロック２１ａ内に充填されている加工データＤMDに対して圧縮部２２における圧縮処理が纏めて施され、生成された圧縮データＤCMPがバッファブロック２３ａ内に蓄積されていく。このとき、バッファブロック２３ｂ内に既に蓄積されていた圧縮データＤCMP（以前にバッファブロック２１ｂに充填された加工データＤMDから生成された圧縮データＤCMP）は圧縮オーディオデータＤＰAIとしてマルチプレックス回路１５へ出力される。
【００５７】
これと並行して、バッファブロック２１ａが満杯になった以降に入力される加工データＤMDは、今度はバッファブロック２１ｂ内に蓄積されていく。このとき、最新に蓄積されている加工データＤMDの記憶領域の先頭アドレス（加工データＤMDの蓄積に伴って順次更新されていくものである。）が上記入力ポインタＰとして設定され、上記ポインタ信号ＣPTとしてサブＣＰＵ２４へ出力され、当該ポインタ信号ＣPTに含まれている上記先頭アドレスがサブＣＰＵ２４内の図示しないメモリ内に記憶される。
【００５８】
このように、オーディオ圧縮回路１３における圧縮処理の過程においては、入力バッファメモリ２１内の各バッファブロック２１ａ又は２１ｂが満杯になる度に当該満杯に充填された加工データＤMDに対して纏めて圧縮処理が施され出力バッファメモリ２３内の対応するバッファブロック２３ａ又は２３ｂ内に一時的に蓄積される動作が、当該各バッファブロック２１ａ又は２１ｂ毎に交互に実行される。
【００５９】
そして、この動作において、上記入力ポインタＰは常に最新の加工データＤMDの各バッファブロック２１ａ又は２１ｂ内の蓄積位置（以下、当該蓄積位置を単に入力ポインタＰの位置と称する。）を示すこととなる。
【００６０】
次に、オーディオ圧縮回路１３内において実行される本発明に係るオーディオデータＤAIの記録中断／再開動作について、図４乃至図６を用いて説明する。なお、図４は当該記録中断／再開動作を示すフローチャートであり、図５は当該記録中断／再開動作時における入力バッファ２１内の状態を示す模式図であり、図６は当該記録中断／再開動作前後におけるデータを示すタイミングチャートである。また、図４に示すフローチャートでは、情報記録装置１におけるオーディオデータＤAIの通常記録が既に実行中であるとする。
【００６１】
第１実施形態の記録中断／再開動作においては、先ず、情報記録の中断を示す旨の操作が操作部９において実行されることで中央制御回路８を介して制御信号Ｃ1によりサブＣＰＵ２４がその旨を認識したか否かが確認され（ステップＳ１）、記録中断が指示されていないときは（ステップＳ１；ＮＯ）、そのまま通常記録を継続し（ステップＳ１２）、次に、全ての記録すべきオーディオデータＤAIの記録が終了したか否かが確認され（ステップＳ１３）、終了しているときは（ステップＳ１３；ＹＥＳ）そのまま処理を終了し、終了してないときは（ステップＳ１３；ＮＯ）ステップＳ１に戻って通常記録処理を継続する。このときには、図３を用いて説明したように入力バッファメモリ２１及び出力バッファメモリ２３が動作していることとなる。
【００６２】
一方、ステップＳ１の判定において、記録中断が指示されたことがサブＣＰＵ２４において認識されたときは（ステップＳ１；ＹＥＳ）、次に、当該認識されたタイミングにおける入力ポインタＰの入力バッファメモリ２１内における位置がポインタ信号ＣPTとしてサブＣＰＵ２４内に記憶される（ステップＳ２）。
【００６３】
より具体的には、例えば、図５左端に示すように、バッファブロック２１ｂ内に加工データＤMDを蓄積中に記録中断が指示されたことがサブＣＰＵ２４において認識された場合には、その時の入力ポインタＰの位置がサブＣＰＵ２４内に記憶されることとなる。
【００６４】
ステップＳ２において入力ポインタＰの位置が記憶されると、次に、当該記録中断タイミング以降に加工部２０に入力されるオーディオデータＤAIに対してフェードアウト処理が施され（ステップＳ３）、当該フェードアウトする加工データＤMD（以下、当該フェードアウトする加工データＤMDをフェードアウト加工データＤMDOと称する。）を入力バッファメモリ２１内の空き領域に引き続いて蓄積する。
【００６５】
このとき、図５に示す場合には、図５左から二番目に示すように、今まで加工データＤMDが蓄積されていたバッファブロック２１ｂ内の領域に連続してフェードアウト加工データＤMDOが蓄積され、当該フェードアウト加工データＤMDOの先頭蓄積位置に入力ポインタＰの位置が更新されることとなる。
【００６６】
次に、ステップＳ３のフェードアウト処理が実行されている間には、フェードアウト加工データＤMDOのレベルがゼロレベルとなったか否かが常に監視されており（ステップＳ４）、ゼロレベルとなっていないときは（ステップＳ４；ＮＯ）引き続きフェードアウト処理を実行し、一方、ゼロレベルとなったときは（ステップＳ４；ＹＥＳ）、加工部２０へのオーディオデータＤAIの入力を停止（中断）させ（ステップＳ５）、次に、当該フェードアウト加工データＤMDOの蓄積が完了した後の入力ポインタＰの位置を再びサブＣＰＵ２４内に記憶する（ステップＳ６。図５左から二番目参照）。
【００６７】
そして、入力ポインタＰの位置を、既にサブＣＰＵ２４に記憶されている（ステップＳ２参照）中断指示タイミングにおける当該入力ポインタＰの位置（図５左端参照）まで戻し（リワインドし（ステップＳ７。図５右から二番目参照））、記録中断後の待機状態に入る（ステップＳ８）。
【００６８】
次に、当該中断待機中においては、情報記録の再開を示す旨の操作が操作部９において実行されることで中央制御回路８を介して制御信号Ｃ1によりサブＣＰＵ２４がその旨を認識したか否かが常に確認されており（ステップＳ９）、記録再開が指示されていないときは（ステップＳ９；ＮＯ）、そのまま待機状態を継続し（ステップＳ８）、一方、記録再開が指示されたことがサブＣＰＵ２４において認識されたときは（ステップＳ９；ＹＥＳ）、次に、再開後に記録すべきオーディオデータＤAIの加工部２０への取り込みを開始する。
【００６９】
そして、サブＣＰＵ２４に記憶されている上記中断指示タイミングにおける入力ポインタＰの位置（図５左端参照）とフェードアウト処理完了後の入力ポインタＰの位置（図５左から二番目参照）を参照して、再開後に記録すべきオーディオデータＤAIのうち中断指示タイミングにおける入力ポインタＰの位置からフェードアウト処理完了後の入力ポインタＰの位置までの入力バッファメモリ２１内の領域に記憶すべき加工データＤMDに対応するオーディオデータＤAIを破棄する（ステップＳ１０）。
【００７０】
次に、フェードアウト処理完了後の入力ポインタＰの位置以後の入力バッファメモリ２１内の領域に記憶すべき加工データＤMDに対応するオーディオデータＤAIに対して加工部２０においてフェードイン処理を施し（ステップＳ１１）、当該フェードインする加工データＤMD（以下、当該フェードインする加工データＤMDをフェードイン加工データＤMDIと称する。）をフェードアウト処理完了後の入力ポインタＰの位置以後の入力バッファメモリ２１内の領域に連続して記憶させる（図５右端参照）。このとき、図５に示す場合には、バッファブロック２１ｂ内の空き領域（フェードアウト加工データＤMDOが記憶されている領域に連続する空き領域（図５右から二番目参照））にフェードイン加工データＤMDIが引き続いて記憶されることとなる。
【００７１】
そして、図５の場合におけるバッファブロック２１ｂが満杯になったときに当該バッファブロック２１ｂ内に蓄積されている加工データＤMD、フェードアウト加工データＤMDO及びフェードイン加工データＤMDIが纏めて圧縮され、出力バッファメモリ２３を介して圧縮オーディオデータＤＰAIとして出力された後、上述した通常の記録処理が実行される（ステップＳ１２及びＳ１３）。
【００７２】
次に、図４及び図５に示す処理により生成される加工データＤMD、フェードアウト加工データＤMDO及びフェードイン加工データＤMDIのレベル変化等について、図６を用いて説明する。
【００７３】
先ず、図６最上段に示すように、操作部９において記録中断指示が為されるまでは、オーディオデータＤAIが連続して加工部２０に入力され、この状態がフェードアウト加工データＤMDOにおけるフェードアウト処理が終了するタイミングまで継続される。
【００７４】
そして、図６上から二段目に示すように、当該連続して入力されるオーディオデータＤAIのうち、当該中断指示タイミング以降に入力されるオーディオデータＤAIが上記フェードアウト加工データＤMDOに加工されて入力バッファメモリ２１内に記憶されるのである（図４ステップＳ３及びＳ４参照）。
【００７５】
一方、操作部９において記録再開指示が為された後は、図６最上段に示すように、記録再開後に記録すべきオーディオデータＤAIが連続して加工部２０に入力される。
【００７６】
その後、図６上から三段目に示すように、当該連続して入力される記録再開後のオーディオデータＤAIのうち、上記中断指示タイミング以降フェードアウト加工データＤMDOがゼロレベルとなったタイミングまでの期間に相当するオーディオデータＤAIが加工部２０において破棄され（図４ステップＳ１０参照）、更に当該フェードアウト加工データＤMDOがゼロレベルとなったタイミング以降に入力されるオーディオデータＤAIが上記フェードイン加工データＤMDIに加工されて入力バッファメモリ２１内に記憶されるのである（ステップＳ１１参照）。
【００７７】
そして、当該フェードイン加工データＤMDIが入力バッファメモリ２１内に記憶された以後に入力されるオーディオデータＤAIは通常の記録処理と同様に加工データＤMDに加工された後、入力バッファメモリ２１内に蓄積される。
【００７８】
次に、図４及び図５に示した処理により光ディスク２に記録された加工データＤMD（及びフェードアウト加工データＤMDO並びにフェードイン加工データＤMDI）を再生する場合の再生レベル変化について検討する。
【００７９】
記録中断／再開タイミングを含んでその前後に渡って記録されている加工データＤMD等を再生する場合、その再生レベルは、図６下から二段目に示すように、記録中断まではほぼ一定の再生レベルで再生され、当該記録中断タイミング以降フェードアウト加工データＤMDOに相当する期間は再生レベルがフェードアウトしつつ再生が中断されることとなり、一方、当該記録再開タイミング以降フェードイン加工データＤMDIに相当する期間は再生レベルがフェードインしつつ再生が再開されることとなる。
【００８０】
このとき、当該加工データＤMDに対応する圧縮オーディオＤＰAIと共に光ディスク２に記録される圧縮ビデオデータＤＰVIは、記録中断指示後直ちに記録が中断され、更に記録再開指示後直ちに記録が再開される。
【００８１】
ここで、第１実施形態では、記録再開後におけるオーディオデータＤAIの入力バッファ２１への取り込みは当該記録再開タイミングと同時に開始され、その後、フェードアウト加工データＤMDOに相当するオーディオデータＤAIが破棄された後フェードインしつつ生成された圧縮オーディオデータＤＰAIの記録が再開されることとなるので、結果的に時間的に対応関係にあるオーディオデータＤAIの取り込みとビデオデータＤVIの取り込みとが同時に再開されることとなり、記録再開後において対応する圧縮オーディオデータＤＰAIと圧縮ビデオデータＤＰVIとが時間軸上でずれて記録されることはなく、更に相互に共通の時間情報に従って記録されることとなる。
【００８２】
従って、それらの再生時において、対応する圧縮オーディオデータＤＰAI及び圧縮ビデオデータＤＰVIが時間的なずれを伴って再生されたり共通の時間情報が存在しないということも防止できる。
【００８３】
以上説明したように、第１実施形態のオーディオ圧縮回路１３の動作によれば、中断が指示されたタイミングに対応する加工データＤMDの入力バッファメモリ２１における記憶位置を記憶し、当該記憶位置に基づいて加工データＤMDの記録を再開するので、中断／再開前後に渡って記録されている加工データＤMDを再生するとき、その連続性を保ちつつ再生することができる。
【００８４】
また、中断が指示されたタイミングにおいて入力された加工データＤMDの記憶位置に基づいてその記録が再開されるので、より正確に再生時における加工データＤMDの連続性を保持しつつ記録することができる。
【００８５】
更に、中断タイミング以降の加工データＤMDがフェードアウトした後にその記録が中断するので、当該中断タイミングの前後に渡って記録されている加工データＤMDを再生する場合に、その記録強度が記録中断時において急激に低減することによる当該再生時のノイズ発生を防止することができる。
【００８６】
更にまた、中断が指示されたタイミングの後、実際に加工データＤMDの記録が中断するまでに記録されるべき加工データＤMDに重複して他の加工データＤMDが記録されることがないので、中断／再開前後に渡って記録されている加工データＤMDを再生する場合に、よりノイズを抑制してを再生することができる。
【００８７】
また、フェードインした後に加工データＤMDの記録が再開されるので、当該中断／再開タイミングの前後に渡って記録されている加工データＤMDを再生する場合に、その記録強度が記録再開時において急激に増大することによる当該再生時のノイズ発生を防止することができる。
【００８８】
更に、ビデオデータＤVIと共に記録されるべきオーディオデータＤAIに対して上述した記録処理を施すので、オーディオデータＤAIの記録中断及び記録再開に伴って、再生時において対応すべきビデオデータＤVIとオーディオデータＤAIとの間に時間的なずれが生じることを防止し、それらの連続性を維持しつつ当該ビデオデータＤVIとオーディオデータＤAIの記録中断及び記録再開を行うことができる。
【００８９】
（II）第２実施形態
次に、本発明に係る他の実施形態である第２実施形態の記録中断／再開動作について、図７乃至図９を用いて説明する。なお、図７は当該記録中断／再開動作を示すフローチャートであり、図８は当該記録中断／再開動作時における入力バッファ２１内の状態を示す模式図であり、図９は当該記録中断／再開動作前後におけるデータを示すタイミングチャートである。また、図７に示すフローチャートでは、第１実施形態の場合と同様に、情報記録装置１におけるオーディオデータＤAIの通常記録が既に実行中であるとする。
【００９０】
更に、図７に示すフローチャートにおいて図４に示す第１実施形態の記録中断／再開動作に係るフローチャートと同様の処理については、同様のステップ番号を付して細部の説明は省略する。
【００９１】
上述した第１実施形態の記録中断／再開動作においては、記録再開後に入力されるオーディオデータＤAIであって上記フェードアウト加工データＤMDOが記録される期間に対応するオーディオデータＤAIを破棄した後、フェードイン加工データＤMDIの記録から記録を再開したが、第２実施形態の記録中断／再開動作では、記録中断後いわゆるクロスフェードを行って記録を再開する。
【００９２】
なお、第２実施形態の記録中断／再開動作を実行するための情報記録装置及びオーディオ圧縮回路の構成は、第１実施形態の情報記録装置１及びオーディオ圧縮回路１３の構成と全く同様であるので、以下の説明ではこれらを流用し、細部の説明は省略する。
【００９３】
図７に示すように、第２実施形態の記録中断／再開動作においては、先ず、上述した第１実施形態の記録中断／再開動作と同様のステップＳ１乃至Ｓ５及びステップＳ７乃至Ｓ９の動作が実行される。このとき、第１実施形態の記録中断／再開動作の如くフェードアウト加工データＤMDOの蓄積が完了した後の入力ポインタＰの位置の記憶処理（図４ステップＳ６参照）は実行されない（図８左端乃至右から二番目参照）。
【００９４】
次に、ステップＳ９において、記録再開が指示されたことがサブＣＰＵ２４において認識されたときは（ステップＳ９；ＹＥＳ）、再開後に記録すべきオーディオデータＤAIの加工部２０への取り込みを開始し、当該取り込まれたオーディオデータＤAI全てに対してその先頭から加工部２０においてフェードイン処理を施してフェードイン加工データＤMDIを生成する（ステップＳ１１）。
【００９５】
そして、サブＣＰＵ２４に記憶されている上記中断指示タイミングにおける入力ポインタＰの位置を参照し、当該入力ポインタＰの位置以後の領域に記憶されている上記フェードアウト加工データＤMDOとステップＳ１１において生成されたフェードイン加工データＤMDIとを加算し、いわゆるクロスフェードを行うための加算加工データＤMDOIを生成し、当該加算加工データＤMDOIを中断指示タイミングにおける入力ポインタＰの位置以後に記憶されるべき入力バッファメモリ２１の領域に記憶する（ステップＳ１５。図８右端参照）。このとき、図８に示す場合には、バッファブロック２１ｂ内におけるフェードアウト加工データＤMDOが記憶されている領域に（図８右から二番目参照））に加算加工データＤMDOIが記憶し直されることとなる。
【００９６】
そして、引き続き通常の加工データＤMDの生成及び入力バッファメモリ２１への記憶を含む通常の記憶処理が実行される（ステップＳ１２及びＳ１３）。このとき、図８に示す場合には、バッファブロック２１ｂの空き領域（すなわち、加算加工データＤMDOIが記憶されている領域に連続する空き領域）内に当該通常の加工データＤMDが記憶されることとなる（図８右端参照）。
【００９７】
そして、当該バッファブロック２１ｂが満杯になったとき（図８右端参照）に当該バッファブロック２１ｂ内に蓄積されている加工データＤMD及び加算加工データＤMDOIが纏めて圧縮され、出力バッファメモリ２３を介して圧縮オーディオデータＤＰAIとして出力された後、上述した通常の記録処理が実行されるのである。
【００９８】
次に、図７及び図８に示す処理により生成される加工データＤMD及び加算加工データＤMDOIのレベル変化等について、図９を用いて説明する。
【００９９】
先ず、図９最上段に示すように、操作部９において記録中断指示が為されるまでは、第１実施形態の場合と同様にオーディオデータＤAIが連続して加工部２０に入力され、この状態がフェードアウト加工データＤMDOにおけるフェードアウト処理が終了するタイミングまで継続される。
【０１００】
そして、図９上から二段目に示すように、当該連続して入力されるオーディオデータＤAIのうち、当該中断指示タイミング以降に入力されるオーディオデータＤAIが上記フェードアウト加工データＤMDOに加工されて入力バッファメモリ２１内に記憶される（図７ステップＳ３参照）。
【０１０１】
一方、操作部９において記録再開指示が為された後は、図９最上段に示すように、記録再開後に記録すべきオーディオデータＤAIが第１実施形態の場合と同様に連続して加工部２０に入力される。
【０１０２】
その後、図９上から三段目に示すように、当該連続して入力される記録再開後のオーディオデータＤAIがその先頭から上記フェードイン加工データＤMDIに加工されて入力バッファメモリ２１内のフェードアウト加工データＤMDOに加算され、加算加工データＤMDOIが生成されて入力バッファメモリ２１内に記憶し直されるのである（図７ステップＳ１１及びＳ１５参照）。
【０１０３】
そして、当該加算加工データＤMDOIが入力バッファメモリ２１内に記憶された以後に入力されるオーディオデータＤAIは通常の記録処理と同様に加工データＤMDに加工された後、入力バッファメモリ２１内に蓄積される。
【０１０４】
次に、図７及び図８に示した処理により光ディスク２に記録された加工データＤMD（及び加算加工データＤMDOI）を再生する場合の再生レベル変化について検討する。
【０１０５】
記録中断／再開タイミングを含んでその前後に渡って記録されている第２実施形態の加工データＤMD等を再生する場合、その再生レベルは、図９下から二段目に示すように、記録中断まではほぼ一定の再生レベルで再生され、当該記録中断タイミング以降加算加工データＤMDOIに相当する期間は再生レベルがフェードアウトしつつ完全にゼロレベルになる前にフェードインが開始され、その後、通常の加工データＤMDに相当する再生レベルまで回復した後一定化することとなる。
【０１０６】
このとき、当該加工データＤMDに対応する圧縮オーディオデータＤＰAIと共に光ディスク２に記録される圧縮ビデオデータＤＰVIは、第１実施形態の場合と同様に記録中断指示後直ちに記録が中断され、更に記録再開指示後直ちに記録が再開される。
【０１０７】
ここで、第２実施形態では、記録再開後におけるオーディオデータＤAIの入力バッファ２１への取り込みは当該記録再開タイミングと同時に開始され、加算加工データＤMDOIが記録された後加工データＤMDの記録が再開されることとなるので、結果的に対応する圧縮オーディオデータＤＰAIと圧縮ビデオデータＤＰVIとの記録が第１実施形態の場合と同様に同時に再開されることとなり、記録再開後において対応する圧縮オーディオデータＤＰAIと圧縮ビデオデータＤＰVIとが時間軸上でずれて記録されることはなく、更に相互に共通の時間情報に従って記録されることとなる。
【０１０８】
従って、それらの再生時において、対応する圧縮オーディオデータＤＰAI及び圧縮ビデオデータＤＰVIが時間的なずれを伴って再生されたり共通の時間情報が存在しないということも防止できる。
【０１０９】
以上説明したように、第２実施形態のオーディオ圧縮回路１３の動作によれば、中断が指示されたタイミングに対応する加工データＤMDの入力バッファメモリ２１における記憶位置を記憶し、当該記憶位置に基づいて加工データＤMDの記録を再開するので、中断／再開前後に渡って記録されている加工データＤMDを再生するとき、その連続性を保ちつつ再生することができる。
【０１１０】
また、中断が指示されたタイミングにおいて入力された加工データＤMDの記憶位置に基づいてその記録が再開されるので、より正確に再生時における加工データＤMDの連続性を保持しつつ記録することができる。
【０１１１】
更に、中断が指示されたタイミング以降に記録されるべきオーディオデータＤAIにより生成された加算加工データＤMDOIから記録を再開するで、中断が指示されたタイミングの後、実際に記録が中断するまでの期間に対応するフェードアウト加工データＤMDOとフェードイン加工データＤMDIとが重複して記録されることとなり、当該中断／再開タイミングの前後に渡って記録されている加工データＤMDを再生する場合に、その再生強度がゼロレベルとなって再生が途切れることを防止できる。
【０１１２】
また、いわゆるクロスフェードにより加工データＤMDの記録中断及び記録再開が実行されることとなるので、当該中断／再開タイミングの前後に渡って記録されている加工データＤMDを再生する場合に、加工データＤMDの記録強度が記録中断／再開時において急激に低減又は増大することによる当該再生時のノイズ発生を防止することができる。
【０１１３】
更に、ビデオデータＤVIと共に記録されるべきオーディオデータＤAIに対して上述した記録処理を施すので、オーディオデータＤAIの記録中断及び記録再開において再生の際に対応すべきビデオデータＤVIとオーディオデータＤAIとの間に時間的なずれが生じることを防止し、それらの連続性を維持しつつ当該ビデオデータＤVIとオーディオデータＤAIの記録中断及び記録再開を行うことができる。
【０１１４】
なお、上述の各実施形態は、時間軸上の対応関係にあるビデオデータＤVIとオーディオデータＤAIとを一の光ディスク２に記録する場合について説明したが、これ以外に、オーディオデータＤAIと時間軸上の対応関係にある他のオーディオデータを当該オーディオデータＤAIと共に光ディスク２に記録する場合に適用することも可能である。この場合には、各実施形態におけるビデオデータＤVIを当該他のオーディオデータに置換して同様に圧縮処理等を行えばよい。
【０１１５】
更に、本発明は、光ディスク２だけでなく、テープ等の他の情報記録媒体に対してオーディオデータＤAI等を記録する場合に適用することも可能である。
【０１１６】
【発明の効果】
以上説明したように、請求項１に記載の発明によれば、中断が指示されたタイミングに対応する加工情報の記憶手段における記憶位置を中断記憶位置として記憶し、当該中断記憶位置に基づいて加工情報の記録を再開するので、中断／再開前後に渡って記録されている加工情報を再生するとき、その連続性を保ちつつ当該加工情報を再生することができる。また、当該中断タイミングの前後に渡って記録されている加工情報を再生する場合に、加工情報の記録強度が記録中断時において急激に低減することによる当該再生時のノイズ発生を防止することができる。
【０１１７】
請求項２に記載の発明によれば、請求項１に記載の発明の効果に加えて、中断が指示されたタイミングにおいて入力された加工情報の記憶位置に基づいて加工情報の記録が再開されるので、より正確に再生時における加工情報の連続性を保持しつつ当該加工情報を記録することができる。
【０１１９】
請求項３に記載の発明によれば、請求項１又は２に記載の発明の効果に加えて、中断が指示されたタイミングの後、実際に加工情報の記録が中断するまでに記録されるべき加工情報に重複して他の加工情報が記録されることがないので、中断／再開前後に渡って記録されている加工情報を再生する場合に、よりノイズを抑制して当該加工情報を再生することができる。
【０１２０】
請求項４に記載の発明によれば、請求項３に記載の発明の効果に加えて、再開加工情報がフェードインした後に記録が再開されるので、当該中断／再開タイミングの前後に渡って記録されている加工情報を再生する場合に、加工情報の記録強度が記録再開時において急激に増大することによる当該再生時のノイズ発生を防止することができる。
【０１２１】
請求項５に記載の発明によれば、請求項１に記載の発明の効果に加えて、中断が指示されたタイミング以降に記録されるべき中断加工情報から加工情報の記録を再開するので、中断が指示されたタイミングの後、実際に加工情報の記録が中断するまでの期間に対応する加工情報に対して中断加工情報が重複して記録されることとなり、当該中断／再開タイミングの前後に渡って記録されている加工情報を再生する場合に、加工情報の再生強度がゼロレベルとなって再生が途切れることを防止できる。
【０１２２】
請求項６に記載の発明によれば、請求項５に記載の発明の効果に加えて、いわゆるクロスフェードにより加工情報の記録中断及び記録再開が実行されることとなるので、当該中断／再開タイミングの前後に渡って記録されている加工情報を再生する場合に、加工情報の再生強度がゼロレベルとなって再生が途切れることを防止できると共に、加工情報の記録強度が記録中断／再開時において急激に低減又は増大することによる当該再生時のノイズ発生を防止することができる。
【０１２３】
請求項９に記載の発明によれば、請求項１から８のいずれか一項に記載の発明の効果に加えて、記録情報が、対応する画像情報と共に記録されるべきオーディオ情報であるので、オーディオ情報の記録中断及び記録再開に伴って、再生時において対応すべき画像情報とオーディオ情報との間に時間的なずれが生じることを防止し、それらの連続性を維持しつつ当該オーディオ情報及び画像情報の記録中断及び記録再開を行うことができる。
【図面の簡単な説明】
【図１】第１実施形態に係る情報記録装置の概要構成を示すブロック図である
【図２】オーディオ圧縮回路の細部構成を示すブロック図である。
【図３】オーディオ圧縮回路の動作を説明する模式図である。
【図４】第１実施形態の記録中断／再開動作を示すフローチャートである。
【図５】第１実施形態の記録中断／再開動作時における入力バッファ内の状態を示す模式図である。
【図６】第１実施形態の記録中断／再開動作前後におけるデータを示すタイミングチャートである。
【図７】第２実施形態の記録中断／再開動作を示すフローチャートである。
【図８】第２実施形態の記録中断／再開動作時における入力バッファ内の状態を示す模式図である。
【図９】第２実施形態の記録中断／再開動作前後におけるデータを示すタイミングチャートである。
【符号の説明】
１…情報記録装置
２…光ディスク
３…スピンドルモータ
４…ピックアップ
５…サーボ回路
６…記録系
８…中央制御回路
８ａ…メモリ
９…操作部
１０…表示部
１１、１２…Ａ／Ｄコンバータ
１３…オーディオ圧縮回路
１４…ビデオ圧縮回路
１５…マルチプレックス回路
１６…記録バッファメモリ
１７…エンコーダ
１８…記録回路
２０…加工部
２１…入力バッファメモリ
２１ａ、２１ｂ、２３ａ、２３ｂ…バッファブロック
２２…圧縮部
２３…出力バッファメモリ
２４…サブＣＰＵ
Ｐ…入力ポインタ
ＳAI…オーディオ信号
ＳVI…ビデオ信号
Ｃ1、Ｃ2、Ｃ3、Ｃ4、ＣCS、ＣBM1、ＣBM2、ＣMD、ＣCMP…制御信号
ＣPC、ＣSC…サーボ制御信号
Ｃmw…データ量信号
ＣPT…ポインタ信号
ＤAI…オーディオデータ
ＤＰAI…圧縮オーディオデータ
ＤVI…ビデオデータ
ＤＰVI…圧縮ビデオデータ
ＤＰW…圧縮データ
ＤWE…エンコードデータ
ＤWT…記録用データ
ＤMD…加工データ
ＤMDO…フェードアウト加工データ
ＤMDI…フェードイン加工データ
ＤMDOI…加算加工データ
ＤBM1…バッファデータ
ＤCMP…圧縮データ
【図１】
0003916029.tif 000002
【図２】
0003916029.tif 000003
【図３】
0003916029.tif 000004
【図４】
0003916029.tif 000005
【図５】
0003916029.tif 000006
【図６】
0003916029.tif 000007
【図７】
0003916029.tif 000008
【図８】
0003916029.tif 000009
【図９】
0003916029.tif 000010